(57)【要約】      （修正有）【課題】利便性、実用性、経済性の高い入れ物の改良構造を提供する。【解決手段】下げ輪を有し、下げ輪の中央部に収容空間を有する。少なくとも一つの把手を設け、把手の端部は下げ輪に連結する。これにより、物品の搭載に緊縛固定の効果を有し、傾けや傾倒しにくい。【選択図】図２
0003155869.tif 000002
【実用新案登録請求の範囲】
【請求項１】
入れ物の改良構造であって、
下げ輪を設け、前記下げ輪の中央部に収容空間を有し、
少なくとも一つの把手を設け、前記把手の端部は前記下げ輪に連結することを特徴とする、
入れ物の改良構造。
【請求項２】
前記下げ輪の断面は縦切り状または傾斜角度のテーパー状を形成することを特徴とする請求項１記載の入れ物の改良構造。
【請求項３】
前記下げ輪と把手は一体成形であることを特徴とする請求項１記載の入れ物の改良構造。
【請求項４】
前記把手に２つの端部を有し、前記両端部は前記下げ輪の２つの対向端に連結することを特徴とする請求項１記載の入れ物の改良構造。
【請求項５】
前記下げ輪と把手は環境対策部材、プラスチックまたは紙製品であることを特徴とする請求項１記載の入れ物の改良構造。
【請求項６】
前記下げ輪に複数の切り口を設けることを特徴とする請求項１記載の入れ物の改良構造。
【請求項７】
前記切り口はほぼ横方向に設置されていることを特徴とする請求項６記載の入れ物の改良構造。
【請求項８】
前記下げ輪に複数の欠けを設けることを特徴とする請求項１記載の入れ物の改良構造。
【考案の詳細な説明】
【技術分野】
【０００１】
本考案は一種の入れ物に係わり、特に一種のカップ体の搭載、携帯に便利し、極めて良い環境保護性並びに使用の経済効果を有する入れ物の改良構造に係わる。
【背景技術】
【０００２】
現今の飲食業が発達し、生活テンポが速い現代人の生活方式に呼応するため、特に朝食店、各種の飲料店またはファーストフーズ店など、ほとんどの飲食業に持ち帰り販売が提供されている。この種の持ち帰り販売は常に冷たい飲料と温かい飲料の販売に伴う。通常のテイクアウト飲料はカップ体に入れる。図１に示すように、飲料を入れたカップ９０はプラスチック袋９２に入れる。このプラスチック袋９２に把手９４を設けて、使用者の手９６によるぶら下げを提供する。この種のプラスチック袋９２による飲料カップ体９０を入れる方式は、飲料の携帯に便利を提供できる。しかしながら、プラスチック袋９２の容積はカップ体９０の容積より大きいため、携帯している中に、カップ体９０が傾けまたは転倒によって、飲料の漏れが発生し、飲料がこぼれて、飲料の量が減るほか、漏れだした飲料がカップ体９０の外面に付着される。そして、使用者はカップ体９０を取り出して飲むときに、飲料が手に付着されて、使用者に悩ませ、せっかくの楽しいムードが台無しになる。よって、この種のプラスチック袋９２による飲料カップ体９０の搭載方式は理想でないことが明らかである。
【考案の概要】
【考案が解決しようとする課題】
【０００３】
さらに、環境保護を意識したプラスチック部材使用の軽減は人類の自発的の潮流である。よって、大きいプラスチック袋９２によるカップ体９０を入れる方式は、環境保護の要求に合致しない。しかしながら、飲料のテイクアウトによる販売量が非常に大きいため、長期にわたりプラスチック袋も大量に使用されている。プラスチック袋は無視できないコスト出費であり、併せて改善必要がある。
【０００４】
公知技術のカップ体（または瓶、缶など）を搭載するプラスチック袋使用上の欠点及びその構造設計が理想でない現状について、本考案人は、解決案の研究開発に着手し、便利性、実用性、環境保護性と、経済性のより高い入れ物の改良構造の開発を目指して、社会に貢献する共に当業界の発展に寄与すべく、種々研究した結果、本考案を考案した。
【課題を解決するための手段】
【０００５】
物品またはカップ、瓶、缶体等の入れ物に良好な便利性と実用性を持つと共に、プラスチック部材の使用を大幅に軽減させ、もって環境保護意識と経済メリットを有する改善効果、一種の入れ物の改良構造を提供することを本考案の主な目的である。
【０００６】
入れ物の液体または飲料の物品に対する束縛固定効果を有し、傾けや傾倒しにくく、実用性と安全性が極めて良い、一種の入れ物の改良構造を提供することを本考案もう一つの目的である。
【０００７】
適切な延伸、拡張効果を有し、かつ入れ物の器具と確実な固定を形成し、入れ物の固定と安定性を向上できる、一種の入れ物の改良構造を提供することを本考案また一つの目的である。
【０００８】
本考案は前記目的を達成するために採用される技術手段は、主に下げ輪を設け、この下げ輪の中央部に収容空間を有する。少なくとも一つの把手を設け、当該把手の端部を下げ輪に連結させることを含む。
【考案の効果】
【０００９】
本考案に係る入れ物の改良構造は、物品の搭載に緊縛固定の効果を有し、傾け、傾倒がしにくいため、極めて良い利便性、実用性と安定性を有するほか、使用の部材は従来のプラスチック袋より少なく、環境保護の要求に符合するばかりでなく、部材コストを軽減することにより、経済効果の向上を持つ、優れた入れ物の構造といえる。
【図面の簡単な説明】
【００１０】
【図１】公知技術のプラスチック袋の概略図である。
【図２】本考案実施例１の立体概略図である。
【図２Ａ】本考案に係る下げ輪の断面概略図その一である。
【図２Ｂ】本考案に係る下げ輪の断面概略図その二である。
【図３】本考案の使用態様概略図である。
【図４】本考案実施例２の立体概略図である。
【図４Ａ】本考案の実施例２に係る応用変化を例示する図である。
【図５】本考案の実施例の使用態様による動作概略図である。
【考案を実施するための形態】
【００１１】
本考案の技術、特徴及び達成される効果のさらなる理解と認識を図るため、好ましい実施例と図式を合わせて、以下のとおり詳細説明する。
【実施例１】
【００１２】
図２に、本考案に係る入れ物の改良構造の考案実施例１の立体概略図を示す。一種の入れ物の物品（カップ、瓶、缶またはその他器物等）を固定させる構造は、主に下げ輪１０とこの下げ輪１０に設ける少なくとも一つの把手２０を有し、この下げ輪１０の中央部に収容空間１２を設け、この収容空間１２の径は入れ物の大きさに従って改変可能である。たとえば、図２Ａに示すように、この下げ輪１０の断面１０Ａは縦切り状または図２Ｂに示すように、下げ輪１０の断面１０Ｂに傾斜角度を有するテーパー状とする。把手２０は帯状（または細長い状）であり、かつ把手２０の端部は下げ輪１０に連結し（本実施例において、把手は両端部を有し、その両端部は下げ輪の２つの対向端に連結する）、把手２０は入れ物の状況に従い、その幅（径または径幅）あるいは数を増やすことができる。さらに、下げ輪１０と把手２０はそれぞれ異なる部材より構成しても良い。本実施例において、プラスチック製、または環境対策部材あるいは紙製品を使用し、かつ下げ輪１０と把手２０は一体化に成形しても良い。
【００１３】
図３を参照し、本考案に係る入れ物の改良構造を使用するときに、飲料を入れたカップ体３０（またはビン、缶など）を下げ輪１０の収容空間１２に装入した後、把手２０を引き上げて、下げ輪１０を上方に移動させながら、カップ体３０に装着させる。カップ体３０は下げ輪１０の制限によって、その中に装着させる。これにより、カップ体３０が下げ輪１０の内部にて自在に移動することがなく、カップ体３０が下げ輪１０内部に、傾けや傾倒の問題を解決できる。
【実施例２】
【００１４】
続いて、図４本考案に係る入れ物の改良構造実施例２の概略図を参照し、本実施例は実施例１の構造に変化を加えたものである。本実施例において、下げ輪１０に複数の切り口１４が設けられて、当該複数の切り口１４は下げ輪１０に分布されている。一好ましい例において、切り口１４はほぼ横方向に設置されているが、水平状または傾斜状の設置を含む。
【００１５】
図５、本考案に係る入れ物の改良構造の実施例２を参照し、本考案を使用するときに、同じく、飲料を入れたカップ体３０（またはビン、缶など）を下げ輪１０の収容空間１２に装入した上、把手２０を引き上げて、下げ輪１０を徐々に上方に移動させながら、カップ体３０に装着させると共に、切り口１４は把手２０の引っ張り込むことによって、カップ体３０の重力影響により、切り口１４が拡張変形を引き起し、下げ輪１０に延伸拡張変形を引き起す。よって、下げ輪１０はカップ体３０に対してより大きい被せと装着面積を有し、物入れの固定と安定性を向上できる。
【００１６】
さらに、図４Ａに示すように、前記切り口１４は特定しない形状の欠け１６構造に形成されても、同じく下げ輪１０に延伸拡張または大きい面積による被せと装着の固定および安定効果を実現できる。
【符号の説明】
【００１７】
１０      下げ輪
２０      把手
１２      収容空間
１０Ａ    断面
１０Ｂ    断面
３０      カップ体
１４      切り口
１６      欠け
【図１】
0003155869.tif 000003
【図２】
0003155869.tif 000004
【図２Ａ】
0003155869.tif 000005
【図２Ｂ】
0003155869.tif 000006
【図３】
0003155869.tif 000007
【図４】
0003155869.tif 000008
【図４Ａ】
0003155869.tif 000009
【図５】
0003155869.tif 000010